(57)【特許請求の範囲】
【請求項１】
移動可能な台車（Ａ）上に、エプロンコンベア（１）と、該エプロンコンベアの一方の端部の上方に設けた原料土（３）のホッパ（４）と、コンベア上で搬送される原料土の量を均等にする均し装置（６）と、該均し装置の下流に設けた原料土計量装置（７）と、該計量装置の下流に設けた土質改良材（９）の供給装置（Ｂ）と、コンベア上の原料土と土質改良材とを解砕混合する撹拌パドル（１４）と、混合土の排出口（１７）と、エプロンコンベア（１）の下流端部と排出口（１７）との間に設けられた二次撹拌パドル（１８）とからなり、上記計量装置（７）によって検出される原料土の量の信号を上記土質改良材の供給装置に伝達して、土質改良材の供給量が自動的に設定されるように構成されている土壌改良装置（Ｃ）が設けられていることを特徴とする移動式土壌改良装置。
【発明の詳細な説明】
【０００１】
【発明の属する技術分野】
本発明は、土壌を改良する土壌改良装置に関し、さらに詳しくは建設・土木工事現場などで発生する土壌の解砕および土質改良材との混合を連続的に行い、改良土として再利用するための土壌改良装置に関する。
【０００２】
【従来の技術】
従来、道路工事やダム工事などの工事現場で発生する土は、そのまま埋め戻しするか、土盛りなどに再利用するのが望ましいとされている。しかしながら、発生土が粘土質などの軟弱土である場合は、土質改良を行ってから再利用されている。土壌改良処理としては、石灰やセメントなどを主成分とする土質改良材を軟弱土と混合して、脱水および固化させるものである。
【０００３】
発生土と土質改良材とを混合する代表的な方法としては、ミキシング方式と回転打撃子や回転カッタを使用する解砕方式が知られている。土壌改良装置としては、リテラＢＺ２００（ＫＯＭＡＴＳＵ）やＳＲ−Ｐ１２００（日立建機）などがあり、リテラＢＺ２００は、回転カッタおよび回転打撃子を併用した解砕方式であり、ＳＲ−Ｐ１２００は、二軸パドルミキサーによるミキシング方式を採用している。
【０００４】
【発明が解決しようとする課題】
工事現場などにおいては、土質改良が必要な不良土を土質改良材と効率的に混合・攪拌し、高品質の再生土を製造することが望まれている。しかしながら、発生場所によって土壌の土質が大きく異なり、ミキシング方式や解砕方式のいずれにしても、不良土と土質改良材との混合・攪拌状態に十分満足の行く結果が得られていない。また、土質改良材は通常は粉体であるため、土壌改良装置のホッパに供給する時などに土質改良材が周辺に飛散し、環境に悪影響を及ぼしている。従って本発明の目的は、発生場所および土質の性状にもかかわらず、原料土と土質改良材とを適当な比率でかつ均一に混合可能である移動式土壌改良装置を提供することである。
【０００５】
【課題を解決するための手段】
上記目的は以下の本発明によって達成される。すなわち、本発明は、移動可能な台車Ａ上に、エプロンコンベア１と、該エプロンコンベアの一方の端部の上方に設けた原料土３のホッパ４と、コンベア上で搬送される原料土の量を均等にする均し装置６と、該均し装置の下流に設けた原料土計量装置７と、該計量装置の下流に設けた土質改良材９の供給装置Ｂと、コンベア上の原料土と土質改良材とを解砕混合する撹拌パドル１４と、混合土の排出口１７と、エプロンコンベア１の下流端部と排出口１７との間に設けられた二次撹拌パドル１８とからなり、上記計量装置７によって検出される原料土の量の信号を上記土質改良材の供給装置に伝達して、土質改良材の供給量が自動的に設定されるように構成されている土壌改良装置Ｃが設けられていることを特徴とする移動式土壌改良装置を提供する。
【０００６】
【発明の実施の形態】
次に好ましい実施の形態を示す図１を参照して本発明をさらに具体的に説明する。本発明の土壌改良装置は、図１に示すように、台車Ａ上に、幾つかの装置が連動するように構成されている。台車Ａは、適当な車輪Ｄによって移動可能であり、図示の台車は、牽引車（例えば、トラックなど）によって任意の処理場所に移動可能になっているが、該台車Ａは自走式であってもよい。
【０００７】
上記台車Ａ上には、不図示の支持装置によって支持され、不図示の動力源によって駆動するエプロンコンベア１が載置されており、両端のローラ２，２によって矢印方向に回転するようになっている。該エプロンコンベア１のサイズは特に限定されないが、例えば、幅約０．５〜３ｍで長さが約１〜１０ｍ程度が一般的である。また、材質も特に限定されないが、土壌改良の目的から鉄を主体とする金属などの剛性のあるものによって形成されていることが好ましい。また、エプロンコンベアのベルトが中央部で撓むことがないように不図示の支持板を内包している。
【０００８】
上記エプロンコンベア１の一方の端部の上方には、原料土３をコンベア１上に供給するホッパ４が設けられ、該ホッパ４は、原料土３が外部に漏れないようにハウジング５に連結している。ホッパ４に供給された原料土３はコンベア１上に落下および堆積して搬送されるが、コンベア１上で搬送される原料土の量を均等にする目的で、均し装置６が設けられている。この均し装置６は通常鉄製のローラであり、その直径は約１００〜５００ｍｍで、該均し装置６は不図示の駆動源により矢印方向に回転し、エプロンコンベア１上の原料土３の量を略一定にする。また、この均し装置６は上下動可能で、コンベア１上で搬送される原料土の量を変えることができるようになっている。
【０００９】
上記均し装置６の下流には、原料土計量装置７が設けられ、該装置７はローラ状であって、前記で均された原料土３の表面の高低に従って上下動し、該上下動の信号量によって、コンベア１上の原料土の量を電気的に検出し、該検出された電気信号が後述の土質改良材の供給装置Ｂに伝達され、該信号に従って適切な量の土質改良材が原料土上に供給される。これらの電気信号の処理および伝達は任意の場所に設けられた制御パネル８によって行なわれる。
【００１０】
上記計量装置７の下流には、土質改良材の供給装置Ｂが設けられている。該装置Ｂは、土質改良材９を投入するホッパ１０と、土質改良材９を搬送するスクリューシリンダ１１と定量供給装置１２とシュート１３とから構成されており、制御パネル８からの信号に従って土質改良材の供給量が定量供給装置１２によって制御され、コンベア上の原料土３に必要量供給される。
【００１１】
シュート１３の下流には、一次撹拌パドル１４が設けられ、該パドル１４の回転によってコンベア上の原料土３と土質改良材９とが均一に混合される。このパドル１４はロール状または円筒形状であって、その表面には多数の解砕刃１５（カッタ）が設けられ、矢印方向に回転して原料土と土質改良材とを解砕および混合するとともに、混合土１６をさらに下流に送る。上記解砕刃１５は、種々の種類の形態のものを用意しておくことによって、多種多様の性状の原料土に対応可能にしておくことが好ましい。
【００１２】
コンベア１の端部に至った混合土１６は、排出口１７から排出されて、その後の処理過程に回される。この際、コンベア１の端部から落下する混合土１６の混合をさらに均一にするために、落下途中に二次撹拌パドル１８を設けておく。この二次撹拌パドル１８は前記一次撹拌パドル１４と同様な構成でよい。このように二次撹拌パドル１８を設けることにより、混合土が落下する重力エネルギーを利用して二次解砕混合を行うことにより、省エネルギーで混合土をさらに均一に混合でき、高品質の土壌に再生することが可能となる。
【００１３】
以上の如くして、原料土が処理されるが、一次撹拌パドル１４および二次撹拌パドル１８には、混合土が付着してそれらの機能が低下する場合があるので、これらのパドルの清掃や整備のために、これらのパドルが存在する位置のハウジング５は、その部分で開閉式にしておくか、完全にオープン状態にしておくことが好ましい。
【００１４】
また、土質改良材が通常粉末であることから、土質改良材が周囲に飛散しないように、別途土質改良材のサイロを設けておき、該サイロとホッパ１０を連結しておくことにより、ジェットパック車から直接サイロに土質改良材を注入でき、閉鎖的環境下で土質改良材を取り扱うことができ、土質改良材の飛散を防止できる。また、上記コンベア１は原料土の詰まりや、コンクリート片などの硬い塊による非常事態を回避するために、コンベア１を逆回転可能にしておくことも好ましい。
【００１５】
本発明で処理される原料土は、特に限定されないが、そのままでは再使用が好ましくない粘土質などの軟弱土において本発明の装置が特に有用である。また、使用する土壌改良材としては、公知の土質改良材、例えば、石灰、セメント、砂などを主成分とする土質改良材が挙げられる。
【００１６】
【発明の効果】
以上の如き本発明によれば、各種の不良原料土に土質改良材を均一に混合でき、良質の再生土とすることができる。また、処理量は、原料土の性状にもよるが、一時間当たり最高２００ｍ3の原料土を高速でかつ高率良く処理することができる。
さらに排出口下部に二次撹拌パドルを設けることにより、混合土が落下する重力エネルギーを有効利用することにより、省エネルギーで混合土をさらに均一に混合することができる。
【図面の簡単な説明】
【図１】本発明の移動式土壌改良装置の要部を図解的に説明する図。
【符号の説明】
Ａ：台車
Ｂ：土質改良材の供給装置
Ｃ：土壌改良装置
Ｄ：車輪
１：エプロンコンベア
２：ローラ
３：原料土
４：ホッパ
５：ハウジング
６：均し装置
７：原料土計量装置
８：制御パネル
９：土質改良材
１０：ホッパ
１１：スクリューシリンダ
１２：定量供給装置
１３：シュート
１４：一次撹拌パドル
１５：解砕刃
１６：混合土
１７：排出口
１８：二次撹拌パドル
１９：回転灯
【図１】
0003631195.tif 000002